(57)【特許請求の範囲】
【請求項１】
ショットが圧縮気体によって加圧されている空間を有する密閉構造体の壁部と、この壁部を貫通しかつ回転可能な回転部材とが形成する隙間をシールしてショットの噴出を防止する装置であって、
前記壁部に形成されるとともに前記空間と連通しかつ前記回転部材が同心して貫通する断面円形状の凹みの内部に、前記回転部材における前記凹み内に位置する部位とで成す隙間を所要長さにして環装された環状の永久磁石を、固定配設し、前記隙間の所要長さは、使用されるショット粒子３〜５個を直線状に並べた時にこのショット粒子群が成す長さとほぼ同じ寸法とし、前記回転部材における前記凹み内に位置する部位に、環状の押え部材、および前記凹みの内面と前記回転部材の外面との隙間をシールするシール部材を前記永久磁石から順に永久磁石に接近させて環装し、さらに、前記壁部の外面に前記凹みの一端開口部を閉鎖可能なフランジをシール部材を介在させて取り付けたことを特徴とする回転部材のシール装置。
【発明の詳細な説明】
【０００１】
【発明の属する技術分野】
本発明は、ショットが圧縮気体によって加圧されている密閉構造体における壁部と、この壁部を貫通しかつ回転可能な回転部材とが形成する隙間をシールしてショットの噴出を防止する装置の改良に関する。
【０００２】
【従来技術と課題】
従来、例えば、ショット噴射装置のひとつとして、ショットを噴出するノズルをこれの中心線を中心に回転自在にして、ショットを供給するショット輸送管に連結したものがある。しかし、このように構成されたショット噴射装置では、ノズルとショット輸送管との間に、ショットや圧縮気体が流出する隙間が必然的に生じるため、従来は、前記隙間付近にOリング等の慣用のシール部材を設けてその噴出を防いでいたが、そのシール部材は特にショットによって早期に損傷されてしまうなどの問題があった。
【０００３】
本発明は上記の問題を解消するために成されたもので、その目的は、ショットの噴出を防いでシール部材の寿命を大幅に延ばすことができる回転部材のシール装置を提供することにある。
【０００４】
【課題を解決するための手段】
上記の目的を達成するために本発明における回転部材のシール装置は、ショットが圧縮気体によって加圧されている空間を有する密閉構造体の壁部と、この壁部を貫通しかつ回転可能な回転部材とが形成する隙間をシールしてショットの噴出を防止する装置であって、前記壁部に形成されるとともに前記空間と連通しかつ前記回転部材が同心して貫通する断面円形状の凹みの内部に、前記回転部材における前記凹み内に位置する部位とで成す隙間を所要長さにして環装された環状の永久磁石を、固定配設し、前記隙間の所要長さは、使用されるショット粒子３〜５個を直線状に並べた時にこのショット粒子群が成す長さとほぼ同じ寸法とし、前記回転部材における前記凹み内に位置する部位に、環状の押え部材、および前記凹みの内面と前記回転部材の外面との隙間をシールするシール部材を前記永久磁石から順に永久磁石に接近させて環装し、さらに、前記壁部の外面に前記凹みの一端開口部を閉鎖可能なフランジをシール部材を介在させて取り付けたことを特徴とする。
【０００５】
このように構成されたものは、適宜のショットが永久磁石に吸着されて、回転部材または壁部と永久磁石とが成す隙間に、ショットによる遮蔽壁が形成されることとなる。そして、ショット粒が少なくとも３〜５個直線状に並ぶことにより
中央部のショット粒がころの機能をして、回転部材は永久磁石に対して円滑に回転する。
【０００６】
【発明の実施の形態】
以下、本発明を適用したショット噴射装置の一実施例について図１に基づき詳細に説明する。本ショット噴射装置は、ショットを圧縮気体を介して輸送する輸送管１と、回転部材としてショットを噴射しかつ垂直面内で回転可能なノズル２と、前記輸送管１と前記ノズル２とを気密に連結する連結機構３と、前記ノズル２を回転させる回転駆動機構４とで構成してある。
【０００７】
そして、前記連結機構３においては、前記輸送管１の先端に固着のフランジ５に取り付けられた支持部材６の右側面には、前記ノズル２と同心する円形状の凹み７が形成してあって、ショットが圧縮気体によって加圧される密閉構造体が画成してある。さらに、前記連結機構３においては、前記支持部材６に前記ノズル２の貫通可能な貫通孔８が前記凹み７と同心して形成してあり、前記凹み７内には、左側から順次に、シール部材としてのゴム製のＶ型パッキ９と、環状の押え部材１０と、前記ノズル２の基部を包囲しかつ内面がノズル２の基端外周部とで所要の隙間を形成する環状の永久磁石１１とが、前記ノズル２に環装された状態で配置してあり、前記永久磁石１１は前記フランジ５に吸着している。
【０００８】
そして、前記ノズル２と前記永久磁石１１とが形成する隙間の長さは、使用されるショット粒子３〜５個を直線状に並べた時にこのショット粒子群が成す長さとほぼ同じ寸法にしてある。また、前記支持部材６の右側面にはシール機能を有するゴム製のOリング１２が前記永久磁石１１を包囲するようにして埋設してある。
【０００９】
また、前記回転駆動機構４においては、前記連結機構３の前記支持部材６に装着されたギヤケース１３にモータ１４が装着してあり、モータ１４の出力軸はピニオン１５およびギヤ１６を介して前記ノズル２に伝動的に連結してあって、ノズル２は前記モータ１４の駆動によって回転するようになっている。なお、図中１７は軸受である。
【００１０】
このように構成されたものは、適宜のショットが永久磁石１１に吸着されて、ノズル２と永久磁石１１とが成す隙間に、ショットによる遮蔽壁が形成されることとなる。従って、ノズル2はモータ13の駆動によって回転しかつ輸送管１の先端から出たショットはこのショット遮蔽壁に阻止されて永久磁石１１の外に飛び出すことはない。そして、ショット粒が少なくとも３〜５個直線状に並ぶことにより中央部のショット粒がころの機能をして、ノズル2は永久磁石１１に対して円滑に回転する。
【００１１】
なお、上記の実施例では本発明をショット噴射装置に適用したが、これに限定されるものではなく、例えば、圧縮気体によって加圧されているショット貯蔵タンクからショットを排出されるとともに、排出されたショットを同じくトラフ内が加圧されたスクリューコンベヤをよって所定位置に搬送するように構成した装置において、スクリューコンベヤのトラフの端部側壁とスクリュー軸との間に形成された隙間に本発明を適用しても同様の作用効果が得られる。
【００１２】
【発明の効果】
以上の説明から明らかなように本発明は、ショットが圧縮気体によって加圧されている空間を有する密閉構造体の壁部と、この壁部を貫通しかつ回転可能な回転部材とが形成する隙間をシールしてショットの噴出を防止する装置であって、前記壁部に形成されるとともに前記空間と連通しかつ前記回転部材が同心して貫通する断面円形状の凹みの内部に、前記回転部材における前記凹み内に位置する部位とで成す隙間を所要長さにして環装された環状の永久磁石を、固定配設し、前記隙間の所要長さは、使用されるショット粒子３〜５個を直線状に並べた時にこのショット粒子群が成す長さとほぼ同じ寸法とし、前記回転部材における前記凹み内に位置する部位に、環状の押え部材、および前記凹みの内面と前記回転部材の外面との隙間をシールするシール部材を前記永久磁石から順に永久磁石に接近させて環装し、さらに、前記壁部の外面に前記凹みの一端開口部を閉鎖可能なフランジをシール部材を介在させて取り付けたから、回転部材と永久磁石との隙間からのショットの噴出を阻止してシール部材の寿命を大幅に延ばすことができるなどの優れた実用的効果を奏する。
【図面の簡単な説明】
【図１】本発明の一実施例の一部断面概略正面図である。
【図２】図１の作動説明の拡大詳細図である。
【符号の説明】
２ ノズル
５ フランジ
１１ 永久磁石
【図１】
0004470131.tif 000002
【図２】
0004470131.tif 000003